(57)【特許請求の範囲】
【請求項１】
緊急車両用のサイレン音をスピーカから出力するためのサイレン音出力装置であって、
サイレン音信号を生成する信号生成部と、
前記サイレン音信号を増幅し、増幅信号を生成する増幅器と、
前記増幅器の出力側と前記スピーカの入力側との間に接続されるインピーダンス変換器と、
前記増幅器の出力側と前記インピーダンス変換器の入力側との間に接続され、前記増幅信号の電流値又は電圧値を検出する検出器と、
前記検出器により検出された前記電流値又は前記電圧値に基づいて、前記インピーダンス変換器に過電流が流れている異常状態が発生しているか否かを判定する異常判定部と
を備え、
前記異常判定部は、過電流状態が第１時間以上空くことのない状態が、前記第１時間よりも長い第２時間以上続いた場合に、前記異常状態が発生していると判定し、
前記第１時間をＴ1とし、前記サイレン音の周期をＴ0としたとき、０．５Ｔ0≦Ｔ1≦２Ｔ0である、
サイレン音出力装置。
【請求項２】
前記異常判定部により前記異常状態が発生していると判定された場合に、前記スピーカの誤配線を知らせる警告を出力する表示部
をさらに備える、
請求項１に記載のサイレン音出力装置。
【請求項３】
前記異常判定部は、過電流状態が所定回数以上又は所定時間以上連続した場合に、前記異常状態が発生していると判定する、
請求項１又は２に記載のサイレン音出力装置。
【請求項４】
前記インピーダンス変換器の出力側には、異なるインピーダンスのスピーカにそれぞれ接続するための複数の端子が設けられている、
請求項１から３のいずれかに記載のサイレン音出力装置。
【発明の詳細な説明】
【技術分野】
【０００１】
本発明は、消防車や救急車、パトカー等の緊急車両用のサイレン音をスピーカから出力するためのサイレン音出力装置に関する。
【背景技術】
【０００２】
消防車や救急車、パトカー等の緊急車両に搭載されるサイレン音出力装置としては、様々なものが知られているが、例えば、特許文献１のものがある。特許文献１に示されるとおり、この種のサイレン音出力装置では、装置本体に登録されたサイレン音の信号が増幅器（アンプ）により増幅され、増幅された信号がスピーカから出力される。そして、通常、増幅器とスピーカとの間には、両者のインピーダンスを整合させるためのインピーダンス変換器（トランス）が接続される。
【先行技術文献】
【特許文献】
【０００３】
【特許文献１】特開２００８−８５４７６号公報
【発明の概要】
【発明が解決しようとする課題】
【０００４】
以上のようなサイレン音出力装置では、スピーカの誤配線（短絡）や、スピーカの内部回路の短絡、或いは配線の噛み込み等の問題が起こると、アンプから過電流が流れ出し、各種部品が破壊されてしまう虞がある。ところで、アンプ内部には、通常、保護回路が設けられており、当該保護回路は、内部の過電流を検出すると、アンプの出力を停止させる。しかしながら、当該保護回路は、アンプを直接スピーカに接続する場合には問題ないが、トランスを介してスピーカに接続する場合には、スピーカの誤配線等が起こったとしても、アンプ内部に十分に電流が流れず、アンプの出力が停止しないことがある。この場合、アンプからの過電流により、トランスが温度上昇して故障に至り、緊急時に確実にサイレン音を発生させることができない事態にもなり兼ねない。このような故障が生じ得るか否かは、アンプ内部に保護回路が搭載されていない場合も含め、アンプの保護回路の仕様に左右されてしまうことになる。
【０００５】
本発明は、スピーカの誤配線（短絡）等の問題の発生時において、増幅器の仕様に関わらず、増幅器の出力側のインピーダンス変換器を保護することができるサイレン音出力装置を提供することを目的とする。
【課題を解決するための手段】
【０００６】
本発明の第１観点に係るサイレン音出力装置は、緊急車両用のサイレン音をスピーカから出力するためのサイレン音出力装置であって、サイレン音信号を生成する信号生成部と、前記サイレン音信号を増幅し、増幅信号を生成する増幅器と、前記増幅器の出力側と前記スピーカの入力側との間に接続されるインピーダンス変換器と、前記増幅器の出力側と前記インピーダンス変換器の入力側との間に接続され、前記増幅信号の電流値又は電圧値を検出する検出器と、前記検出器により検出された前記電流値又は前記電圧値に基づいて、前記インピーダンス変換器に過電流が流れている異常状態が発生しているか否かを判定する異常判定部とを備える。
【０００７】
ここでは、増幅器とスピーカとの間にインピーダンス変換器が接続されるとともに、インピーダンス変換器の一次側（入力側）に、電流値又は電圧値の検出器が接続される。そして、当該検出器により検出される電流値又は電圧値に基づいて、インピーダンス変換器に過電流が流れているか否かが判定される。従って、スピーカの誤配線（短絡）等の問題の発生時において、増幅器の仕様に関わらず、増幅器の下流側のインピーダンス変換器を保護することが可能になる。
【０００８】
本発明の第２観点に係るサイレン音出力装置は、第１観点に係るサイレン音出力装置であって、前記異常判定部により前記異常状態が発生していると判定された場合に、前記スピーカの誤配線を知らせる警告を出力する表示部をさらに備える。
【０００９】
インピーダンス変換器に過電流が流れ込む要因としては様々考えられるが、第１に、スピーカの誤配線が考えられる。ここでは、異常状態が発生していると判定された場合に、スピーカの誤配線を知らせる警告が表示され、ユーザに的確な対応を促すことができる。
【００１０】
本発明の第３観点に係るサイレン音出力装置は、第１観点又は第２観点に係るサイレン音出力装置であって、前記異常判定部は、過電流状態が所定回数以上又は所定時間以上連続した場合に、前記異常状態が発生していると判定する。
【００１１】
ここでは、過電流による異常状態をより正確に検出することができる。
【００１２】
本発明の第４観点に係るサイレン音出力装置は、第１観点から第３観点のいずれかに係るサイレン音出力装置であって、前記異常判定部は、過電流状態が第１時間以上空くことのない状態が、前記第１時間よりも長い第２時間以上続いた場合に、前記異常状態が発生していると判定する。
【００１３】
ここでは、過電流による異常状態をより正確に検出することができる。
【００１４】
本発明の第５観点に係るサイレン音出力装置は、第４観点に係るサイレン音出力装置であって、前記第１時間をＴ1とし、前記サイレン音の周期をＴ0としたとき、０．５Ｔ0≦Ｔ1≦２Ｔ0である。
【００１５】
ここでは、過電流による異常状態をより正確に検出することができる。
【００１６】
本発明の第６観点に係るサイレン音出力装置は、第１観点から第５観点のいずれかに係るサイレン音出力装置であって、前記インピーダンス変換器の出力側には、異なるインピーダンスのスピーカにそれぞれ接続するための複数の端子が設けられている。
【００１７】
インピーダンス変換器が、インピーダンスの異なる様々なスピーカとの接続用に複数の出力端子を有する場合、インピーダンス変換器の出力側の電流値又は電圧値に基づいて過電流の検出を行おうとすると、検出ロジックが複雑となり得る。典型的には、検出器が複数必要になることが考えられる。或いは、判定閾値をスピーカとの接続状態に応じて設定することが必要になる状況等も想定され得る。しかしながら、ここでは、インピーダンス変換器の入力側で電流値又は電圧値が検出されるため、簡易に過電流の検出を行うことができる。
【発明の効果】
【００１８】
本発明によれば、増幅器とスピーカとの間にインピーダンス変換器が接続されるとともに、インピーダンス変換器の一次側（入力側）に、電流値又は電圧値の検出器が接続される。そして、当該検出器からの電流値又は電圧値に基づいて、インピーダンス変換器に過電流が流れているか否かが判定される。従って、スピーカの誤配線（短絡）等の問題の発生時において、増幅器の仕様に関わらず、増幅器の下流側のインピーダンス変換器を保護することが可能になる。
【図面の簡単な説明】
【００１９】
【図１】本発明の一実施形態に係るサイレン音出力装置を含むサイレン音出力システムの全体構成図。
【図２】サイレン音出力システムの電気的構成を示す機能ブロック図。
【図３】アンプ及びスピーカ周辺の回路構成を示す図。
【図４】異常判定処理の流れを示すフローチャート。
【発明を実施するための形態】
【００２０】
以下、図面を参照しつつ、本発明の一実施形態に係るサイレン音出力装置について説明する。
【００２１】
＜１．全体構成＞
図１は、本実施形態に係るサイレン音出力装置１を含むサイレン音出力システム１００の全体構成図であり、図２は、このサイレン音出力システム１００の電気的構成を示す機能ブロック図である。サイレン音出力装置１は、消防車や救急車、パトカー等の緊急車両の車内に搭載され、周囲に注意を促すためのサイレン音をスピーカ２から出力するための装置である。
【００２２】
図１及び図２に示すように、サイレン音出力装置１には、スピーカ２の他、警光灯３及びマイク４も接続されている。サイレン音出力装置１は、マイク４を介して入力される音声についても、スピーカ２を介して出力することができる。さらに、サイレン音出力装置１は、スピーカ２を介して警鐘を鳴らすこともでき、予め登録されている音声を再生することもできる。また、サイレン音出力装置１は、警光灯３の点滅を制御することもできる。スピーカ２及び警光灯３は、緊急車両の車外、例えば、車体のルーフや側面に備え付けられる。マイク４は、車内の人が使用し易いように、車内に配置される。警光灯３は、散光式警光灯の他、任意の形態の車載警光灯とすることができる。
【００２３】
図１に示すように、サイレン音出力装置１は、車内に設置し易い形状、例えば、直方体形状の筐体８を備え、筐体８内に、制御部１０及び記憶部２０を備えている。車内の人がアクセスし易い筐体８のフロントフェース面８Ａには、電源ボタン５５、操作スイッチ５０〜５３及びジョグダイアル５４が配置されている。また、表示部８０及び外付けのマイク４を接続するためのマイク入力端子４０も、フロントフェース面８Ａに配置されている。一方、外付けのスピーカ２及び警光灯３を接続するための接続端子は、これらの周辺機器２，３とサイレン音出力装置１との間の配線６，７が邪魔にならないように、筐体８の背面や側面等に配置されている。
【００２４】
筐体８内には、アンプ６０及びトランス７０が搭載されている。アンプ６０は、アンプ６０に入力される音信号を増幅して出力するための回路（増幅器）であり、本実施形態では、Ｄ級（デジタル）アンプである。トランス７０は、アンプ６０の出力側とスピーカ２の入力側との間に接続され、効率的な電力の伝送を可能にすべくアンプ６０及びスピーカ２間のインピーダンス整合を行うインピーダンス変換器である。ところで、一般に、スピーカの誤配線（短絡）や、スピーカの内部回路の短絡、或いは配線の噛み込み等の問題が起こると、アンプから過電流が流れ出し、各種部品、特にアンプの下流側のトランスが破壊されてしまう虞がある。この場合、緊急走行時にサイレン音を始めとする各種の警報音を出力しようにも出力できない事態になり兼ねない。そのため、サイレン音出力装置１では、このような事態を想定し、トランス７０へ過電流が流れ込んでいる異常状態を検出する機能が搭載されている。
【００２５】
制御部１０は、ＣＰＵにより構成されている。制御部１０と記憶部２０とは、バス線を介して接続されており、制御部１０は、記憶部２０内の各種データを読み出すことができる。制御部１０は、記憶部２０内に記憶されているプログラムを読み出して実行することにより、音生成部１１及び異常判定部１２として動作する。各部１１，１２の動作については、後述する。
【００２６】
記憶部２０は、ハードディスクやフラッシュメモリ等からなる不揮発性の記憶装置である。記憶部２０内には、上述のプログラムの他、サイレン音を規定する周波数や周期等のパラメータのデータ（以下、サイレン音データ）２１が格納されている。なお、緊急車両には、複数種類のサイレン音が登録される場合があるが、この場合には、それぞれのサイレン音に対するサイレン音データ２１，２１，・・・が格納される。
【００２７】
また、記憶部２０内には、警報メッセージの音声データ２２、警鐘音データ２３、及び、警光灯３の点滅パターンを規定するデータ（以下、点滅パターンデータ）２４も格納されている。サイレン音の場合と同様、音声データ２２、警鐘音データ２３、及び点滅パターンデータ２４についても、それぞれ複数種類の音声、警鐘音及び点滅パターンの分だけ登録しておくことができる。
【００２８】
マイク入力端子４０は、バス線を介して制御部１０に接続されており、制御部１０は、マイク４から入力される音声（主として、人の声）を音声データ２２に変換し、記憶部２０内に保存しておくこともできる。これにより、使用頻度の高いメッセージの音声については、予め記憶部２０内に録音しておき、その後、適宜スピーカ２を介して再生することができる。ユーザは、ジョグダイアル５４を操作することで、再生すべき音声データ２２として、これらの多数の音声データ２２のファイルの中から適当なものを選択することができる。
【００２９】
なお、上記のとおり、音声データ２２だけでなく、サイレン音データ２１、警鐘音データ２３及び点滅パターンデータ２４も、それぞれ複数のサイレン音、警鐘音及び点滅パターンについて登録可能である。そして、どの音が出力され、どの点滅パターンが採用されるかは、フロントフェース面８Ａの操作スイッチ等を介して適宜選択される。制御部１０は、選択されたサイレン音データ２１、音声データ２２及び警鐘音データ２３に基づいて、対応する音をスピーカ２から出力したり、選択された点滅パターンデータ２４に基づいて警光灯３を点滅させたりする。
【００３０】
フロントフェース面８Ａの操作スイッチ群には、サイレンスイッチ５０、警光灯スイッチ５１、音声再生スイッチ５２、及び警鐘スイッチ５３が含まれる。サイレンスイッチ５０は、サイレン音データ２１に基づくサイレン音の出力／停止の切り替えを操作するためのスイッチである。警光灯スイッチ５１は、点滅パターンデータ２４に基づく警光灯３の点灯／消灯の切り替えを操作するためのスイッチである。音声再生スイッチ５２は、音声データ２２に基づく音声を再生するためのスイッチである。警鐘スイッチ５３は、警鐘音データ２３に基づく警鐘音を吹鳴するためのスイッチである。ジョグダイアル５４は、スピーカ２の音量の調整にも使用することができる。電源ボタン５５は、サイレン音出力装置１のＯＮ／ＯＦＦの切り替えを操作するための操作ボタンである。これらのボタン、操作スイッチ及びダイアル等の操作部５０〜５５は、バス線を介して制御部１０に接続されており、制御部１０は、これらの操作部５０〜５５に対するユーザの操作を検出することができる。
【００３１】
本実施形態に係る表示部８０は、二桁の英字又は数値を表示可能なＬＥＤモニタである。表示部８０は、バス線を介して制御部１０に接続されており、制御部１０は、表示部８０上に、ユーザにより選択された音声データ２２の再生チャンネルを表示させることができる。また、制御部１０は、表示部８０上に、上述の異常状態、すなわち、スピーカ２の誤配線（短絡）等を知らせる警告を表示させることもできる。本実施形態では、上述の異常状態が検出された場合、当該異常状態に対応するエラーコードが表示部８０上に表示される。これを受け、ユーザは、マニュアル等を確認し、当該エラーコードに対応する問題、すなわち、スピーカ２の誤配線（短絡）等の問題が生じていることを知り、適切な対応を採ることができる。なお、ここでいうユーザとしては、架装業者や、緊急車両を走行させる運転者等が想定される。当該エラーコードを見たのがスピーカ２とサイレン音出力装置１とを接続する架装業者であれば、スピーカ２の配線を確認したり、配線の噛み込み等が起こっていないかを確認することができる。一方、緊急車両の運転者であれば、スピーカ２の内部回路の故障等の疑いが強いことを知り、修理等の適切な措置を早期に採ることができる。
【００３２】
サイレン音出力装置１、スピーカ２及び警光灯３は、車載のバッテリー９から電力供給を受ける。バッテリー９からサイレン音出力装置１に供給される電源電圧の値は、車両の走行状況やバッテリー９から電源供給を受けている他の機器の状況等に応じて変動する。本実施形態に係るバッテリー９の供給電圧は、ＤＣ１２Ｖ又はＤＣ２４Ｖであり、この場合、サイレン音出力装置１に供給される電圧値は、ＤＣ１２Ｖの場合で凡そＤＣ１０Ｖ〜１６Ｖとなり、ＤＣ２４Ｖの場合で凡そ２０Ｖ〜３２Ｖとなる。
【００３３】
サイレン音出力装置１には、１又は複数個のスピーカ２を接続することができる。また、本実施形態に係るサイレン音出力装置１に接続可能なスピーカ２としては、入力側のインピーダンスが８Ωのものと、１６Ωのものとがある。従って、サイレン音出力装置１には、スピーカ２との接続端子として、１６Ω用の第１端子７０Ａと、８Ω用の第２端子７０Ｂ（図３参照）との２種類が設けられている。なお、これらの接続端子７０Ａ，７０Ｂは、トランス７０の出力側（二次側）の端子である。複数のサイレン音出力装置１に実際にどのようなスピーカ２が接続されるかは、適宜選択されることになるが、例えば、インピーダンスが１６Ωのスピーカ２を１つだけ接続する場合には、第１端子７０Ａが使用される。また、インピーダンスが１６Ωのスピーカ２を２つ並列に接続する場合には、合成抵抗が８Ωとなるため、第２端子７０Ｂが使用される。
【００３４】
＜２．アンプ及びスピーカ周辺の回路構成＞
続いて、図３を参照しつつ、各種の警報音を出力するための、アンプ６０及びスピーカ２の周辺の回路構成について詳細に説明する。
【００３５】
ユーザによりサイレンスイッチ５０、音声再生スイッチ５２及び／又は警鐘スイッチ５３が押下され、及び／又はマイク４が一定レベル以上の音声を集音すると、音生成部１１は、スピーカ２から対応する音を出力させる。サイレン音を吹鳴させる場合には、音生成部１１は、記憶部２０内のサイレン音データ２１を参照し、サイレン音信号を生成する。このサイレン音信号は、制御部１０のアナログポートを介して、波形合成部１４へと送信される。波形合成部１４は、このサイレン音信号をＡ／Ｄ変換する。同様に、音生成部１１は、記憶部２０内に登録されている音声及び警鐘音を出力させる場合には、それぞれ記憶部２０内の音声データ２２及び警鐘音データ２３を参照し、音声信号及び警鐘音信号を生成する。また、マイク４に入力された音声も、音生成部１１により信号化され、音声信号となる。これらの音声信号及び警鐘音信号は、Ｉ２Ｓバスを介してデータ変換部１３へ送信され、適宜データ変換がされた後、波形合成部１４へ送信される。なお、波形合成部１４は、各種音信号のミキシングを行う回路であり、サイレン音信号、音声信号及び警鐘音信号のうちの複数の信号を同時に受け取った場合に、それらの音信号を合成した合成音信号を生成する。
【００３６】
波形合成部１４は、各種音信号、すなわち、サイレン音信号、音声信号、警鐘音信号、又はこれらの合成音信号を、アンプ６０の入力ポートに入力する。アンプ６０は、バッテリー９からの電力供給を受けて、波形合成部１４からの入力信号（音信号）を増幅した増幅信号を生成する。制御部１０とアンプ６０とは、Ｉ２Ｃバスを介して通信接続されている。制御部１０は、各種の警報音を出力する際に、Ｉ２Ｃバスを介してアンプ６０のＣＰＵ６Ａに駆動信号を送信し、アンプ６０を駆動させる。警報音の出力を終了させる場合には、ＣＰＵ６Ａに停止信号を送信し、アンプ６０を停止させる。
【００３７】
なお、図２に示すとおり、アンプ６０には、ＣＰＵ６Ａ及び保護回路６Ｂが内蔵されている。ＣＰＵ６Ａは、アンプ６０の動作を制御する制御部であり、保護回路６Ｂは、アンプ６０から過電流が流れ出すのを防止するための回路である。ＣＰＵ６Ａ及び保護回路６Ｂは、アンプ６０の内部を流れる電流値が一定値を超えると、アンプ６０の出力を再起動又は停止させたり、或いは、アンプ６０の内部を流れる電流値を一定値以下に保つように制御したりする。
【００３８】
図３に示すように、アンプ６０の出力側とトランス７０の入力側（一次側）との間には、電流センサ７５が接続されている。電流センサ７５は、アンプ６０から出力され、トランス７０の入力側に入力される、上記警報音の音信号の増幅信号の電流値を検出する。検出された電流値は、制御部１０のデジタルポートを介して、異常判定部１２により受信される。異常判定部１２は、この電流値に基づいて、トランス７０に過電流が流れ込んでいる異常状態が発生しているか否かを判定する。かかる異常判定処理の詳細については、後述する。
【００３９】
電流センサ７５の回路構成は、適宜設計することができる。例えば、既知の小さな抵抗値（例えば、５ｍΩ程度）を有する抵抗器をトランス７０の入力端子に並列に接続し、この抵抗器の両端の電圧を増幅器により増幅する構成とすることができ、この増幅値が制御部１０に送信される。なお、この増幅値は、電圧値であると言うことができるが、これを抵抗器の抵抗値（一定値）で除すれば、電流値となる。この意味で、この増幅値は、電流値と言うこともできる。
【００４０】
トランス７０に入力された音信号の増幅信号は、トランス７０の出力端子７０Ａ，７０Ｂに接続されているスピーカ２のインピーダンスに応じて変圧された後、スピーカ２の入力端子に入力される。スピーカ２は、この入力信号に基づいて、各種の警報音を出力する。
【００４１】
＜３．異常判定処理＞
以下、図４を参照しつつ、異常判定部１２により実行される異常判定処理について説明する。異常判定処理は、トランス７０に過電流が流れ込んでいる異常状態を検出する処理であり、アンプ６０が駆動されたときに開始し、アンプ６０が停止されたときに終了する。
【００４２】
まず、異常判定部１２は、一定時間間隔（本実施形態では、１０ｍｓ）でＮ回（本実施形態では、１０回）、電流センサ７５から出力される電流値を読む（ステップＳ１）。この一定時間間隔は、後述の閾値Ｔ1と比べて短い時間である。続いて、異常判定部１２は、Ｎ回中Ｍ回以上（Ｎ≧Ｍ≧１）、電流値が所定の閾値Ｈ以上であるか否かを判定し（ステップＳ２）、Ｍ回以上、電流値が所定の閾値Ｈ以上となった場合には、過電流状態であると判定する（ステップＳ３）。一方、Ｎ回中Ｍ回以上、電流値が所定の閾値Ｈ以上とならかなかった場合には、非過電流状態であると判定する（ステップＳ４）。なお、この電流値の閾値Ｈは、サイレン音出力装置１に現在接続されているスピーカ２のインピーダンスによらず、一定値を用いることができる。また、ステップＳ２で閾値Ｈと比較される電流値とは、電流センサ７５からの出力値であり、上述した増幅値である。従って、ここで比較される電流値とは、電圧値ということもできるが、既に説明した理由から、電流値と呼び得る値である。なお、異常判定部１２により、電流センサ７５からの出力値を電流センサ７５に含まれる電圧検出用の抵抗器の抵抗値で除することにより、電流値に換算した後、これを閾値と比較するようにしてもよい。
【００４３】
異常判定処理では、図４に示すとおり、ステップＳ２及びこれに続くステップＳ３又はステップＳ４が、繰り返し実行されることになる。そして、異常判定部１２は、トランス７０に過電流が流れ込んでいる異常状態を検出するために、過電流状態の継続状態を監視する。そして、過電流状態と判定されることがＬ回連続した場合（以下、第１異常条件）、又は過電流状態が時間Ｔ1（本実施形態では、８秒）以上空くことのない状態が、時間Ｔ1より長い時間Ｔ2（本実施形態では、２４秒）以上続いた場合（以下、第２異常条件）に、異常状態が検出される。なお、過電流状態の継続状態を監視するために、ステップＳ３では、過電流状態の開始時刻を示す所定の変数（以下、開始時刻変数）に値が設定されていない場合には、当該変数に現在時刻が設定される。
【００４４】
具体的に説明すると、ステップＳ３又はステップＳ４の後、処理はステップＳ５に進む。ステップＳ５では、異常判定部１２は、第１異常条件が満たされるか否か、すなわち、Ｌ回連続で過電流状態と判定されたか否かを判定する。そして、Ｌ回連続で過電流状態と判定された場合には、処理はステップＳ８に進められる。ステップＳ８では、異常判定部１２は、停止信号をアンプ６０のＣＰＵ６Ａに送信し、アンプ６０を停止させる。一方、ステップＳ５で、第１異常条件が満たされなかった場合には、処理はステップＳ６に進められる。
【００４５】
ステップＳ６及びこれに続くステップＳ７では、異常判定部１２は、第２異常条件が満たされるか否か、すなわち、過電流状態が時間Ｔ1以上空くことのない状態が、時間Ｔ2以上続いたか否かを判定する。より具体的には、ステップＳ６では、非過電流状態が時間Ｔ1以上続いているか否かが判定され、続いていないと判定された場合、処理はステップＳ７に進められる。ステップＳ７では、異常判定部１２は、開始時刻変数の値を参照し、過電流状態が開始してから時間Ｔ2以上が経過したか否かを判定し、経過したと判定される場合、処理はステップＳ８に進められる。この場合、第１異常条件が満たされた場合と同様に、アンプ６０が停止させられる。
【００４６】
一方、ステップＳ６で非過電流状態が時間Ｔ1以上続いていると判定された場合、開始時刻変数の値がクリアされ、処理はステップＳ１に戻り、ステップＳ２〜Ｓ４の過電流状態の判定が繰り返される。また、ステップＳ７で、過電流状態が開始してから時間Ｔ2以上が経過していないと判定された場合にも、処理はステップＳ１に戻り、ステップＳ２〜Ｓ４の過電流状態の判定が繰り返される。
【００４７】
また、ステップＳ８でアンプ６０が停止された後、処理はステップＳ９に進む。ステップＳ９では、表示部８０上に警告が出力される。上述したとおり、ここでの警告は、エラーコードの態様で出力される。マニュアル等には、このエラーコードが、スピーカの誤配線（短絡）や、スピーカの内部回路の短絡、或いは配線の噛み込み等に対応していることが記載されている。例えば、マニュアル等には、このエラーコードの出力時にユーザが採るべき処置の説明として、「スピーカの配線を確認して下さい」等の指示が記載される。ステップＳ９が終了すると、異常判定処理は終了する。
【００４８】
ところで、第２異常条件の判定時に使用される過電流状態の空き時間の閾値Ｔ1は、サイレン音の周期をＴ0とした場合、０．５Ｔ0≦Ｔ1≦２Ｔ0となるように設定されることが好ましい。サイレン音は、一周期中に音量レベルが上下するため、音量レベルの高いところでは過電流が検出され易くなり、音量レベルの低いところでは過電流が検出されにくくなる。従って、サイレン音の半周期よりも短い時間で異常状態を検出しようとすると、誤検出の可能性が高くなる。よって、Ｔ1≧０．５Ｔ0とすることが好ましい。また、同様の観点から、Ｔ1≧０．８Ｔ0とすることがより好ましく、Ｔ1＝Ｔ0とすることがさらに好ましい。
【００４９】
＜４．変形例＞
【００５０】
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００５１】
＜４−１＞
上記実施形態では、アンプ６０はデジタルアンプとされたが、アナログアンプであってもよい。また、アンプ６０に保護回路６Ｂが搭載されていたが、保護回路は省略することができる。
【００５２】
＜４−２＞
上記実施形態では、第１異常条件又は第２異常条件が満たされる場合に、過電流による異常状態が検出されたが、異常状態を検出するためのロジックは、これに限られない。例えば、第１異常条件のみを判定してもよいし、第２異常条件のみを判定してもよいし、その他の条件により異常状態を検出してもよい。また、上記実施形態では、第１異常条件として、過電流状態が所定回数（Ｌ回）連続するか否かが判定されたが、これに代えて、過電流状態が所定時間以上連続した場合に、過電流による異常状態を検出することもできる。
【００５３】
＜４−３＞
上述した異常状態の警告を行う表示部８０の構成は、例示であり、異常状態の警告を行うことができる限り、任意の構成とすることができる。異常状態の警告を行う表示部は、筐体８とは別個に設けられていてもよく、例えば、サイレン音出力装置１に接続されており、サイレン音出力装置１により検出された異常状態の警告の表示が可能である限り、任意の表示装置とすることができる。例えば、サイレン音出力装置１に車載の液晶パネルが接続されている場合には、警告の表示を行う媒体として、当該液晶パネルを利用することもできる。
【００５４】
＜４−４＞
上記実施形態では、過電流による異常状態を判定するために電流センサ７５が用いられたが、インピーダンス変換器（トランス７０）の一次側の電流値又は電圧値を評価することが可能である限り、電流センサ７５に代えて、任意の形態の電流センサ又は電圧センサを用いることができる。また、電流センサ又は電圧センサからの出力値をそのまま閾値と比較して過電流状態を判定するのではなく、適宜係数を掛ける等して適切な値に変換した後、閾値と比較するようにしてもよい。
【符号の説明】
【００５５】
１  サイレン音出力装置
２  スピーカ
１１  音生成部（信号生成部）
１２  異常判定部
６０  アンプ（増幅器）
７０  トランス（インピーダンス変換器）
７５  電流センサ（検出器）
８０  表示部
【図１】
0006256366.tif 000002
【図２】
0006256366.tif 000003
【図３】
0006256366.tif 000004
【図４】
0006256366.tif 000005